(57)【特許請求の範囲】
【請求項１】
細長い第１の木製ユニット浮体と十字型の第２の木製ユニット浮体の端縁部同士を天然ストランドで拘束して、一体の第１のユニット浮体と二体の第２のユニット浮体の直交棒状部によって画成される五角形が亀甲状に連続する平盤状のフロートを構成するとともに、ユニット浮体により画成された五角形の空隙部に、天然素材で構成したメッシュ状の植生支持体を載置したことを特徴とするフローティングプランター。
【請求項２】
前記第１のユニット浮体は、間伐材により製作された棒状物で構成され、前記第２のユニット浮体は、間伐材により製作された一対の棒状物が直交するように交差され、かつ交差部がだぼ止め固定されて構成されたことを特徴とする請求項１記載のフローティングプランター。
【請求項３】
前記植生支持体は、竹を編んだ笊で構成されたことを特徴とする請求項１又は２記載のフローティングプランター。
【請求項４】
前記フロートには、炭素繊維束が懸吊されたことを特徴とする請求項１，２，３のいずれかに記載のフローティングプランター。
【請求項５】
前記炭素繊維束は、だぼ止めによりユニット浮体に固定されたことを特徴とする請求項４記載のフローティングプランター。
【請求項６】
前記炭素繊維束のだぼ止めされる部位が組紐状に構成されたことを特徴とする請求項５記載のフローティングプランター。
【発明の詳細な説明】
【０００１】
【発明の属する技術分野】
本発明は、河川，池，湖沼等の景観，美観を維持向上させ、且つ水質の改善浄化を図る植生浄化用のフローティングプランターに関する。
【０００２】
【従来の技術】
この種の従来技術としては、図７に示すように、枠体１に底網２を張設し、底網２上に植物生育用の土壌の盛土３をのせ、枠体１をフロート４で水面上適宜高さに保持するようにした人工浮島（特開平６−３４３３５８号）が知られている。
【０００３】
【発明が解決しようとする課題】
しかし前記した従来技術では、工作，設置に手間が掛かり、特に大型化することおよび設置現場で組立てることが困難で、結果として費用が掛かる。
また一端設置した人工浮島の面積の増減変更も困難で、既存の人工浮島とは別に新たな人工浮島を設置したり、新たな人工浮島に取替えざるを得なかった。
【０００４】
またフロートが処分の困難なプラスチック製品で構成されており、撤収後の廃棄の際に、環境負荷をかえって増加させるおそれもあった。
本発明は、前記従来技術の問題点に鑑みなされたもので、その目的は、工作，設置，設置現場での組立ておよび設置後の増減変更が容易で、景観，美観にすぐれ、且つ環境負荷を与えることなく廃棄できるフローティングプランターを提供することである。
【０００５】
【課題を解決するための手段】
前記目的を達成するために、請求項１に係るフローティングプランターでは、細長い第１の木製ユニット浮体と十字型の第２の木製ユニット浮体の端縁部同士を天然ストランドで拘束して、一体の第１のユニット浮体と二体の第２のユニット浮体の直交棒状部によって画成される五角形が亀甲状に連続する平盤状のフロートを構成するとともに、ユニット浮体により画成した五角形の空隙部に、天然素材で構成したメッシュ状の植生支持体を載置するようにしたもので、植生支持体上に栽培される水生植物は、植生支持体の孔を貫通しフロート下方の水面まで垂らした根により水分等を吸収し生育する。
第１，第２のユニット浮体を天然ストランドで拘束連結してフロートを構成し、フロート上に植生支持体を載置固定することは容易である。
また既存のフロートを構成するユニット浮体に、新たな第１，第２のユニット浮体を天然ストランドで拘束して一体化することで、植生支持体の載置面積を拡げたり、既存のフロートを構成する第１，第２のユニット浮体の天然ストランドによる拘束のいくつかを解除して植生支持体の載置面積を縮小したりすることは容易である。
またフローティングプランター構成部材はすべて天然素材から構成されるとともに、水面に浮かぶフロート（ユニット浮体）は亀甲状の模様を呈し、自然の景観，美観にマッチする。
またフローティングプランター構成部材はすべて天然素材から構成されているため、焼却でき、廃棄しても環境に負荷を与えることもない。
請求項２では、第１のユニット浮体を、間伐材により製作した棒状物で構成し、第２のユニット浮体を、間伐材により製作した一対の棒状物を直交するように交差し、かつ交差部をだぼ止め固定するようにしたもので、従来では主に廃棄されて使い道のなかった間伐材を有効に利用できる。
請求項３によれば、竹を編んだ笊で植生支持体を構成するようにしたもので、竹製の笊は耐久性に優れ、見栄えもよい。
請求項４によれば、フロートに炭素繊維束を懸吊させるようにしたもので、水面下における炭素繊維束は、炭素繊維フィラメントにばらけて、汚濁物質を分解する微生物の付着担体として機能するとともに、小魚や水中生物の居つく一種の藻場としても機能する。
請求項５によれば、炭素繊維束を、だぼ止めによりユニット浮体に固定するようにしたもので、炭素繊維束はダボとダボ孔間に挟持されて固定される。
請求項６によれば、炭素繊維束のだぼ止めされる部位を組紐状に構成するようにしたもので、ばらけるおそれのない組紐状部をだぼ止めすることは容易で、だぼ止め固定された組紐状部は炭素繊維フィラメントが編まれた状態となっており、炭素繊維フィラメントが抜け落ちることもない。
【０００６】
【発明の実施の形態】
次に本発明の実施の形態を実施例に基づいて説明する。
図１〜図６は、本発明の一実施例に係るフローティングプランターを示すもので、図１は同フローティングプランターの全体斜視図、図２は十字型のユニット浮体の分解斜視図、図３は十字型のユニット浮体の斜視図、図４はフロートに炭素繊維束をだぼ止めする様子とユニット浮体同士を連結する様子を示す斜視図、図５は炭素繊維束のダボ止め部周辺の拡大断面図、図６は同フローティングプランターの使用状態を示す断面図である。
【０００７】
これらの図において、符号１０は、間伐材から製作された所定長さの円柱状棒状体１２により構成された第１のユニット浮体で、棒状体１２の両端縁部には水平に延びる貫通孔１４がそれぞれ設けられている。
符号２０は、間伐材から製作された一対の円柱状棒状体２２，２２が組み付けられ、ダボ止めにより一体化された十字型の第２のユニット浮体で、円柱状棒状体２２，２２のそれぞれの両端縁部にも水平に延びる貫通孔２４が設けられている。円柱状棒状体２２は、第１のユニット浮体１０を構成する円柱状棒状体１２の略２倍の長さに形成され、長手方向中央部には、図２に示すように、円柱状棒状体２２の直径と同一幅で円柱状棒状体の中心まで達して長手方向と直交方向に延びる切り欠き２３が形成されている。そして図３に示すように、切り欠き２３，２３を係合させ、係合部を貫通するように設けられたダボ孔２６に木製のダボ２７を打ち込むことで、円柱状棒状体２２，２２が十字型に固定一体化されている。
【０００８】
そしてユニット浮体１０，２０の端縁部同士が、貫通孔１４，２４に挿通した天然素材からなる紐状部材（以下、天然ストランドという）であるシュロ縄１６を結束することで連結されて、ユニット浮体１０，２０で画成された五角形の空隙部ａが亀甲状に連続した構造の平盤状のフロートＡ（図１参照）が構成されている。即ち、一体のユニット浮体１０と二体のユニット浮体２０で五角形が形成されるようにユニット浮体１０，２０を連結して、五角形の空隙部ａを亀甲状に連続させている。
【０００９】
符号４０は、ユニット浮体１０，２０で画成された五角形の空隙部ａ上に載置固定された竹製の植生支持体で、天然ストランドであるシュロ縄４２でユニット浮体１０，２０に拘束されている。植生支持体４０は、竹を編んだ多孔４１をもつ笊様の構造で、植生浄化用の水生植物４５等は、この植生支持体４０上に植え付けられて一体化されている。
【００１０】
そして、フロートＡ（ユニット浮体１０，２０）が水面に浮かんだ状態では、図６に示すように、水生植物４５の根４６が植生支持体４０の孔４１を介して水面下に垂れ下がり、水分等を補給できる状態となって生育し、フロートＡ上に水生植物Ａの繁茂する緑地帯が形成されるとともに、水質の浄化も達成される。
符号５０は、フロートＡを構成するユニット浮体１０，２０の下面にだぼ止めにより固定されて、懸吊された炭素繊維束である。即ち、ユニット浮体１０，２０を構成する円柱状棒状体１２，２２の下側面には、長手方向所定間隔にダボ孔１８，２８が設けられ、このダボ孔１８，２８に、炭素繊維フィラメントを束ねた炭素繊維束５０の組紐状基端部５１が木製のダボ５２とともに打ち込こまれることで、固定されている。
【００１１】
なお、だぼ止めされる炭素繊維束５０の基端部は、組紐状に編まれて結束されているため、だぼ止めが容易で、だぼ止め固定部から個々の炭素繊維フィラメントが抜け落ちるおそれもない。
またユニット浮体１０，２０に炭素繊維束５０を固定するには、釘やクリップといった金属製固定部材を用いたほうが便利であるが、炭素繊維と金属部材が接触した場合には、電食により金属部材が侵されるため耐久性に難がある。このため本実施例では、電食が発生するおそれのない木製のダボで炭素繊維束を固定している。
【００１２】
そして、フロートＡ（ユニット浮体１０，２０）が水面に浮かんだ状態では、図６に示すように、炭素繊維束５０は水中において個々の炭素繊維フィラメントにばらけ、水中汚濁物質を分解する微生物の付着担体として機能するとともに、小魚や水中生物の居つく一種の藻場としても機能し、水質の浄化ならびに水中の生態系の保護に寄与する。
【００１３】
またこの本実施例におけるフローティングプランターを設置するには、まず設置しようとする現場に於いて、各ユニット浮体１０，２０をシュロ縄１６で拘束して平面状のフロートＡを構成する。次に、炭素繊維束５０をユニット浮体１０，２０の裏面にだぼ止めする。そしてフロートＡを水面に浮かべ、その亀甲状空隙部ａ上に植生支持体４０を載置固定する。なおこの場合、必要に応じた数の植生支持体４０をフロートＡに載せ、すべての空隙部ａを植生支持体４０で埋める必要はない。最後に、植生支持体４０の上に水生植物など水耕に適した植物４５を栽培する。なお、予め水生植物４５が育成一体化された植生支持体４０を、フロートＡに載せるようにしてもよい。
【００１４】
本実施例の場合は、フロート上に生育した水生植物４５による水の浄化に加えて、フロートＡから水中に垂れ下がった炭素繊維束５０が汚濁物質を分解する微生物の付着担体として機能し、かつ１種の藻場のような機能も果たすので、水中の生態系を回復する作用もあり、水質の浄化機能を一層強化できる。
また植生支持体６上の水生植物４５が成長し終え、水生植物４５を取り除く際は、各植生支持体４５ともども除去する。また、新たに植生を補充するときは、植生支持体４５のみを補充してやればよい。
【００１５】
植生支持体４５は竹製であるので、植生共々これを焼却或いはコンポスト化できるので、新たな環境負荷を生じることはない。更に、フロートＡ（ユニット浮体１０，２０）は木製であるので、容易に焼却ができ、環境への悪影響はない。
また既設のフロートＡ（ユニット浮体１０，２０）の面積の増減を図るには、シュロ縄１６により既設のフロートＡに新たなユニット浮体１０，２０を連結したり、既設のフロートＡを構成するユニット浮体１０，２０のシュロ縄１６による幾つかの連結を解除すれば足りるので、ユニット浮体１０，２０の拡大や削減を現地で容易に行うことができる。
【００１６】
以上、本発明の一実施例に基づき、本発明を説明したが、本発明はこれに限定されるものではない。
たとえばユニット浮体１０，２０の材料としては、前記実施例で示すように、間伐材が最適であるが、間伐材以外の木材であってもよい。
また十字型ユニット浮体の結合方法としては、中央部でのたぼ止め方式を示した。この方法は簡易であり、且つフロート全体が木材からなり、環境負荷の減少に資するが、場合によっては、釘止めなど他の任意の方式を採用することが出来る。
【００１７】
またユニット浮体を拘束する天然ストランドとしてシュロ縄を挙げたが、天然素材であって、耐久性に富むものであれば、これに限られるものでない。
また植生支持体として竹製の笊様のものを示した。これは製作が容易で、且つ環境負荷が小さく景観維持にも資するが、この植生支持体は、植生を支持できて水面にいたる孔があり、環境負荷の小さいものであれば良く、例えば生分解性プラスチックの成形品なども使用できる。
【００１８】
また、フロートＡの下面に、水中において微生物担体，擬似藻場として機能する炭素繊維束５０を懸吊したが、浄化が植生のみで可能な場合は、このような炭素繊維束５０を省略することができる。
【００１９】
【発明の効果】
以上の説明から明らかなように、請求項１に係るフローティングプランターによれば、フロート上に植物が成育することで、水面上の緑化と水質の浄化が達成される。
またユニット浮体をストランドで結合するフロート構造は、工作，組み立てが容易な上に、フロートを任意の面積に構成でき、しかも既存のフロートの面積の増減も簡単である。
また、フロートの上に植生支持体を載置するようにしているので、植生の設置，除去が容易である。
またフローティングプランター構成部材はすべて焼却可能な天然素材で構成されているため、廃棄しても環境に与える負荷は全くない。
また、フロートは、ユニット浮体で画成された五角形の空隙部が亀甲状に連続する暫新な構造で、美観にすぐれ、フローティングプランターを設置するエリアの景観の向上に寄与できる。
また請求項４に係るフローティングプランターによれば、フロート上の植物の成育による水面上の緑化と水質の浄化に加えて、フロートに懸吊された炭素繊維束が汚濁物質を分解する水中微生物の付着担体として機能することで、さらなる水質の浄化が達成されるとともに、炭素繊維束が水中でばらけて１種の藻場として機能することで、水中の生態系の保全も達成される。
【図面の簡単な説明】
【図１】本発明の一実施例であるフローティングプランターの全体斜視図
【図２】十字型のユニット浮体の分解斜視図
【図３】十字型のユニット浮体の斜視図
【図４】フロートに炭素繊維束をだぼ止めする様子とユニット浮体同士を連結する様子を示す斜視図
【図５】炭素繊維束のダボ止め部周辺の拡大断面図
【図６】同フローティングプランターの使用状態を示す断面図
【図７】従来技術である人工浮島の断面図
【符号の説明】
１０  第１の木製ユニット浮体
１２，２２  円柱状棒状体
１４，２４  水平貫通孔
１６  天然ストランドであるシェロ縄
１８，２８  ダボ孔
２０  第２の木製ユニット浮体
２６  ダボ孔
２７  ダボ
４０  植生支持体
４１  植生支持体の孔
４５  水生植物
４６  水生植物の根
５０  炭素繊維束
５１  炭素繊維束の組紐状基端部
５２  ダボ
Ａ  フロート
ａ  亀甲状の空隙部
【図１】
0003768291.tif 000002
【図２】
0003768291.tif 000003
【図３】
0003768291.tif 000004
【図４】
0003768291.tif 000005
【図５】
0003768291.tif 000006
【図６】
0003768291.tif 000007
【図７】
0003768291.tif 000008